(57)【特許請求の範囲】
【請求項１】
内胴の外側に外胴を被せたケースを備える腕携帯情報機器にあって、
外胴に取り付けられた保持部材が、内胴を構成する複数の部品から選ばれる２つの部品に挟持されることにより、外胴が内胴の外側に保持されること、
保持部材と外胴とを軸通する連結部品によって、保持部材が外胴に取り付けられること、この連結部品を軸とする保持部材の回転防止手段が備えられること、
および回転防止手段が保持部材と外胴との接触、あるいは保持部材と内胴との接触を含むこと、
保持部材が、内胴の部品の間に挟持されるための挟持部を備え、挟持部が保持部材より内胴に向けて突出していること、
および保持部材の挟持部を内胴に向けて挿通できる開口部が外胴に備えられていること、を備える腕携帯情報機器。
【請求項２】
請求項１記載の腕携帯情報機器にあって、保持部材の挟持部を収納する凹部が、挟持部を挟持する２つの部品の少なくとも一方に設けられ、凹部が、内胴の防水手段の外側に位置することを特徴とする腕携帯情報機器。
【請求項３】
請求項２記載の腕携帯情報機器であって、外胴の開口部と腕携帯情報機器の凹部が相対することを特徴とする腕携帯情報機器。
【請求項４】
請求項１記載の腕携帯情報機器であって、保持部材が複数の挟持部を備えていることを特徴とする腕携帯情報機器。
【請求項５】
請求項１記載の腕携帯情報機器にあって、保持部材を挟持する内胴の部品が、本体部と裏蓋であることを特徴とする腕携帯情報機器。
【請求項６】
請求項１記載の腕携帯情報機器にあって、保持部材の挟持部を挟持する内胴の部品が、上部本体部と下部本体部であることを特徴とする腕携帯情報機器。
【請求項７】
請求項１記載の腕携帯情報機器にあって、保持部材の挟持部を内胴に向けて挿通できる開口部が外胴に備えられ、開口部を通して保持部材と内胴とが接触することを特徴とする腕携帯情報機器。
【請求項８】
請求項１記載の腕携帯情報機器にあって、複数の保持部材が、１つの連結部品によって外胴に取り付けられていることを特徴とする腕携帯情報機器。
【請求項９】
請求項１記載の腕携帯情報機器にあって、保持部材がバンドであることを特徴とする腕携帯情報機器。
【請求項１０】
請求項１記載の腕携帯情報機器にあって、保持部材が、ケースにバンドを連結するための駒であることを特徴とする腕携帯情報機器。
【請求項１１】
請求項１記載の腕携帯情報機器にあって、保持部材が、ケースにバンドを連結するための先かん部材であることを特徴とする腕携帯情報機器。
【請求項１２】
請求項１記載の腕携帯情報機器にあって、保持部材が、バンドを挿通するためのバンド通し部材であることを特徴とする腕携帯情報機器。
【請求項１３】
請求項１１記載の腕携帯情報機器であって、先かん部材、バンド、及び外胴とを軸通する１つの連結部品によって、先かん部材、バンド、及び外胴が、内胴に取り付けられることを特徴とする腕携帯情報機器。
【請求項１４】
請求項１記載の腕携帯情報機器にあって、保持部材がケースの外胴に配置される装飾部材であることを特徴とする腕携帯情報機器。
【請求項１５】
請求項１４記載の腕携帯情報機器であって、装飾部材、バンド、および外胴とを軸通する１つの連結部品によって、装飾部材、バンド、および外胴が内胴に取り付けられることを特徴とする腕携帯情報機器。
【請求項１６】
請求項１４、あるいは１５のいずれか記載の腕携帯情報機器にあって、複数の装飾部材が取り付けられることを特徴とする腕携帯情報機器。
【請求項１７】
請求項１記載の腕携帯情報機器にあって、保持部材が、ケースの外側に配置される緩衝部を備える保護部材であることを特徴とする腕携帯情報機器。
【請求項１８】
請求項１記載の腕携帯情報機器にあって、保持部材が、ケースとバンドとを着脱するための中留めであることを特徴とする腕携帯情報機器。
【請求項１９】
請求項１記載の腕携帯情報機器にあって、保持部材が、ケースとバンドとの間に連結され、ケースとバンドとが成す周長を伸縮するための折り畳み式の中留めであることを特徴とする腕携帯情報機器。
【請求項２０】
請求項１記載の腕携帯情報機器にあって、外胴が導電性の部材であり、内胴が非導電性の部材であることを特徴とする腕携帯情報機器。
【請求項２１】
請求項２０記載の腕携帯情報機器にあって、外胴がステンレス、黄銅、チタン、チタン合金から選ばれる１つの材料を含み、内胴が合成樹脂、ゴム、セラミックから選ばれる１つの材料を含むことを特徴とする腕携帯情報機器。
【発明の詳細な説明】
【０００１】
【発明の属する技術分野】
本発明は、多くの機能を具備した情報機器を腕に携帯できる腕携帯情報機器に関する。
【０００２】
【従来の技術】
従来から、腕に携帯される腕携帯情報機器として、腕時計が知られている。この腕時計において、内胴の外側に外胴を被せたケース構造として、例えば、実開昭４８−３１７１号公報にその技術が開示されている。
同公報によると、ガラス縁と一体に形成された胴（外胴）の側面に穴が設けられる。この穴を挿通するネジが、胴の内部に嵌装された裏蓋（内胴）に螺合し、そのネジが締め付けられるにつれて、ネジの斜面が穴面を押し、胴全体が押し下げられる。そして、ガラス（風防）を介して胴と裏蓋上面との間でパッキンが圧縮されるように構成されている。
【０００３】
加えて、近年では、電気素子や電子部品の縮小化、および高性能化によって、電子機器の小型化が著しく発展したため、例えば、高度で多くの機能を備える情報機器を、腕時計のように腕に携帯できるようになってきた。
このような腕携帯情報機器としては、例えば、標準電波を受信するアンテナを備え、標準電波を基準に常に時刻を修正する電波時計のように、受信機能を備えるものが知られている。
【０００４】
さらに、ＧＰＳ（Ｇｌｏｂａｌ Ｐｏｓｉｔｉｏｎｉｎｇ Ｓｙｓｔｅｍ）機能を備えるもの、ＲＦＩＤ（Ｒａｄｉｏ Ｆｒｅｑｕｅｎｃｙ ＩＤｅｎｔｉｆｉｃａｔｉｏｎ）機能を備えるもの、あるいは携帯電話やＰＨＳ（Ｐｅｒｓｏｎａｌ Ｈａｎｄｙ Ｐｈｏｎｅ Ｓｙｓｔｅｍ）に代表されるような通信機能を備えるものなども知られている。
このような受信機能、あるいは送受信機能を備える腕携帯情報機器において、アンテナ、ＣＰＵ、時刻表示を含む表示駆動部などを備えるムーブメントは、通常ケースに収納される。
【０００５】
【発明が解決しようとする課題】
しかしながら、上記した裏蓋に胴をメジで固定したケースは、螺着したネジが緩んだり、過大な外力がケースに負荷されたりすると、裏蓋から胴が外れてしまう。
【０００６】
また、胴の側面に設けた穴からネジが視認されてしまい、腕携帯情報機器の高級感や美観が甚だしく損なわれてしまうと言う問題があった。
【０００７】
また、受信機能、あるいは送受信機能を備える腕携帯情報機器のケースの素材には、合成樹脂やセラミックなどの非導電材料が主として用いられてきた。なぜならば、金属などの導電材料からなるケース内部にアンテナを収納すると、アンテナからの磁界によって、金属ケースに起電力が発生して、ケースに電流が誘起される。その電流により磁界が乱れて、アンテナが標準電波を受信できなくなるほどに、アンテナの受信機能が劣化してしまうためである。
【０００８】
しかしながら、このようなアンテナの受信障害を避けるため、非導電材料のケースを用いると、ケースの耐傷性、あるいは耐薬品性の低下をまねくばかりか、装身具としての腕携帯情報機器に必要とされる高級感や美観も損なわれてしまうと言う問題があった。
【０００９】
本発明は上記従来の課題に鑑みなされたものであり、本発明の目的は、以下の通りである。
（１）内胴に外胴が強固に取り付けられる腕携帯情報機器を提供すること。
（２）高級感や美観が損なわれない固定手段によって、内胴に外胴が取り付けられる腕携帯情報機器を提供すること。
（３）ケースに電導材料を用いた、高級感や美観を備える腕携帯情報機器を提供すること。
【００１０】
【課題を解決するための手段】
上記の目的を達成するために、本発明における腕携帯情報機器は、「内胴の外側に外胴を被せたケースを備える腕携帯情報機器にあって、外胴に取り付けられた保持部材を、内胴を構成する複数の部品から選ばれる２つの部品に挟持して、内胴の外側に外胴を保持すること」を特徴とする。この構成により、内胴に外胴が強固に取り付けられる。
【００１１】
また、本発明によれば、「保持部材が、内胴の部品の間に挟持されるための挟持部」を備えることができる。この挟持部は、「保持部材より内胴に向けて突出する」ことが好ましい。この構成により、保持部材が、内胴を構成する２つの部品の間に、確実に挟持される。
【００１２】
また、本発明によれば、「挟持部を挟持する２つの部品の少なくとも一方に設けられ、凹部が、内胴の防水手段の外側に位置する」ことが好ましい。この構成により、保持部材を挟持すると共に、内胴を構成する２つの部品の間が防水手段により確実に防水され、内胴に収納したムーブメントが保護される。
【００１３】
また、本発明によれば、「保持部材の挟持部を内胴に向けて挿通できる開口部が外胴に備えられている」ことが好ましい。この構成により、保持部材の挟持部が外胴の開口部を通過して、内胴を構成する２つの部品の間に確実に挟持される。
【００１４】
また、本発明によれば、「外胴の開口部と内胴の凹部を相対する」ようにしてもよい。
【００１５】
また、本発明によれば、「保持部材が、複数の挟持部を備える」ことができる。この構成により、内胴と外胴がさらに強固に取り付けられる。
【００１６】
また、本発明によれば、「保持部材を挟持する内胴の部品が、本体部と裏蓋」であってもよい。
【００１７】
また、本発明によれば、「保持部材を挟持する内胴の部品が、上部本体部と下部本体部」であってもよい。
【００１８】
また、本発明によれば、「保持部材と外胴とを軸通する連結部品によって、保持部材が外胴に取り付けられている」ことができる。この構成により、連結ピンやばね棒などの連結部品によって、保持部材が外胴に容易に取り付けられる。
【００１９】
また、本発明によれば、「連結部品を軸とする保持部材の回転を抑止する回転防止手段が、保持部材と外胴との間に備えられる」ことが好ましい。この構成により、保持部材の回転によって、内胴を構成する２つの部品が離間することが避けられる。
【００２０】
また、本発明によれば、回転防止手段は、「保持部材と外胴との接触、あるいは保持部材と内胴との接触を含む」ことで、簡単な構成で達成できる。
【００２１】
また、本発明によれば、「保持部材の挟持部を内胴に向けて挿通できる開口部が外胴に備えられ、開口部を通して保持部材と内胴とが接触する」ようにしてもよい。この構成により、保持部材と挟持部が、外胴の開口部を通過して、内胴を構成する２つの部品の間に確実に挟持されるばかりか、この開口部を利用して保持部材と内胴とを接触させることにより、保持部材の回転が防止される。
【００２２】
また、本発明によれば、「複数の保持部材が、１つの連結部品によって外胴に取り付けられる」ことができるので、ケースの組み立てが容易である。
【００２３】
また、本発明によれば、保持部材をバンドにすることができる。
【００２４】
また、本発明によれば、保持部材を「ケースとバンドを連結するための駒」にすることができる。
【００２５】
また、本発明によれば、保持部材を「ケースとバンドを連結するための先かん部材」にすることができる。
【００２６】
また、本発明によれば、保持部材を「バンドを挿通するためのバンド通し部材」にすることができる。これらの構成により、腕携帯情報機器を構成する、バンド部品を保持部材に利用することができる。従って、保持部材によって、腕携帯情報機器の高級感や美観が損なわれることがない。
【００２７】
また、本発明によれば、「先かん部材、バンド、及び外胴とを軸通する１つの連結部品によって、先かん部材、バンド、及び外胴が、内胴に取り付けられる」ので、ケースの組み立てが容易になる。
【００２８】
また、本発明によれば、保持部材を「ケースの外側に配置される装飾部材」にすることができる。この構成により、保持部材によって、腕携帯情報機器が装飾される。
【００２９】
また、本発明によれば、「装飾部材、バンド、および外胴とを軸通する１つの連結部品によって、装飾部材、バンド、および外胴が内胴に取り付けられる」ので、ケースの組み立てが容易になる。
【００３０】
また、本発明によれば、「複数の装飾部材が取り付けられる」ようにすることにより、腕携帯情報機器の高級感や美観がさらに改善される。
【００３１】
また、本発明によれば、保持部材を「ケースの外側に配置される緩衝部を備える保護部材」にすることができる。この構成により保持部材によって、腕携帯情報機器の高級感や美観が損なわれることがないばかりか、過大な外力の負荷から腕携帯情報機器が保護される。
【００３２】
また、本発明によれば、保持部材を「ケースとバンドとを着脱するための中留」にすることができる。
【００３３】
また、本発明によれば、保持部材を「ケースとバンドとの間に連結され、ケースとバンドとが成す周長を伸縮するための折り畳み式の中留」にすることができる。これらの構成により、腕携帯情報機器を構成する、中留めを保持部材に利用することができる。従って、保持部材によって、腕携帯情報機器の高級感や美観が損なわれることがない。
【００３４】
また、本発明によれば、「外胴が導電性の部材であり、内胴が非導電性の部材」とすることができる。この構成によれば、ケースにアンテナが収納された場合、アンテナの近傍に位置するのは非導電性の内胴であり、導電性材料を用いた外胴はアンテナより遠く位置する。よって、導電性材料がアンテナの近傍に位置することに起因するアンテナの受信障害が生じにくい。且つ、外胴に金属を用いることができるので、アンテナの受信障害を生じさせずに、ケースに金属感のある外観が付与される。これにより、ケ−スに導電材料を用いた、高級感や美観を備える腕携帯情報機器が提供できる。
【００３５】
また、本発明によれば、「外胴がステンレス、黄銅、チタン、チタン合金から選ばれる１つの材料を含み、内胴が合成樹脂、ゴム、セラミックから選ばれる１つの材料を含む」ことができる。
【００３６】
【発明の実施の形態】
以下図面に基づいて本発明における腕携帯情報機器について説明する。図１〜図３は、本発明における第１の実施の形態に係わり、図１は、腕携帯情報機器のケースの展開斜視図、図２は、ケースにバンドを取り付ける前の状態を示す展開斜視図、図３は、ケースにバンドを取り付けた状態を示す断面図である。
【００３７】
図１〜図３において、１はケースであり、その端部にはバンド２がバンドの先端の駒である保持部材３を介してバネ棒、ピンなどの連結部材４で連結されている。前記ケース１は、外胴５と内胴６とで構成され、該内胴６は本体部７と裏蓋８よりなる。前記内胴６内には所定のムーブメント９が格納され、ムーブメント９の文字板上側には内胴６の本体部７の上端内縁と風防ガラス１０でパッキン１１を圧縮している。
【００３８】
前記外胴５は、ステンレス、黄銅、チタン、チタン合金から選ばれる１つの導電性材料からなり、バンド連結方向の側壁に突出した２つの連結脚５ａを有し、該連結脚５ａの間に後述する保持部材３の挟持部３ａを前記内胴６に向けて挿通できる開口部５ｂが設けられている。
【００３９】
前記内胴６の本体部７は、合成樹脂、ゴム、セラミックから選ばれる１つの非導電性材料からなり、本体部７の側壁には保持部材３の挟持３ａが挿入される凹部７ａが形成されている。前記外胴５の開口部５ａと内胴６を構成する本体部７の凹部７ａは相対する。前記凹部７ａは、本体部７でなく、裏蓋８に位置しても良い。また、本体部７と裏蓋８の双方で形成しても良い。そして、凹部７ａの形成位置は、本体部７と裏蓋８でパッキン１２を圧縮して構成した防水手段の外側に位置している。
【００４０】
前記内胴６の外側に外胴５を取り付けるには、内胴６の本体部７の外側に外胴５を被せ、外胴５の開口部５ｂに保持部材３の挟持部３ａを挿通し、保持部材３と外胴５の連結脚５ａを軸通するバネ棒、圧入ピン、ピンと割りパイプなどよりなる連結部材１３により連結する。
【００４１】
前記内胴６に保持部材３を挟持するには、上記したように外胴５に保持部材３を連結し、保持部材３の挟持部３ａが内胴６の本体部７に形成されている凹部７ａに挿通された状態で、裏蓋８に形成された穴８ａにネジ１４でネジ止めすることにより、保持部材３は内胴６を構成する本体部７と裏蓋８との間に挟持され、内胴６に外胴５が強固に取り付けられる。
【００４２】
前記内胴６の本体部７の側壁７ｂと保持部材３の側壁３ｂの接触面は、連結部材１３を軸とする保持部材３の回転防止手段の機能を有するものである。
【００４３】
前記外胴５の２つの連結脚５ａと保持部材３との接触は、保持部材３が２つの連結脚５ａに挟まれて、保持部材３を連結部材１３の軸に沿って移動を抑止する機能を有するものである。
【００４４】
以上述べた構成による作用効果は、保持部材３は回転防止され外胴５に容易に取り付けられ、内胴６は保持部材３の挟持部３ａを確実に挟持して外胴５に強固に取り付けられる。また、内胴６に設けられた防水手段によりムーブメント９が保護される。
【００４５】
また、アンテナの近傍に位置する内胴６は、非導電性材料のため電波の受信障害が生じない。
更に、アンテナより遠くに位置する外胴５は、導電性材料のため、ケースに金属感のある外観が付与され、高級感や美観を有するケースが得られる。
【００４６】
図４は、本発明における第２の実施の形態に係わる腕携帯情報機器のケースに保持部材であるバンドを取り付けた状態を示す断面図である。
【００４７】
上記した第１の実施の形態と異なる点は、別体の保持部材を要しなくても、バンドの先端部が保持部材の機能を有するものである。
図４において、バンド１５は合成樹脂、ゴムなどの非導電性材よりなり、バンド１５の先端の保持部において，内胴６に向けて突出する挟持部１５ｂが，内胴６を構成する本体部７と裏蓋８の２つの部品の間に柔軟性を有して確実に挟持される。また、前記保持部の壁面１５ｃと内胴６の本体部７の側壁７ｂと接触する接触面は、連結部材１３を軸とする保持部の回転防止手段の機能を有するものである。その他のケース１の構成及び作用効果は上記した第１の実施の形態と同様であるで説明は省略する。
【００４８】
図５及び図６は、本発明における第３の実施の形態に係わり、図５は、腕携帯情報機器のケースに保持部材である先かん部材を利用してバンドに取り付ける前の状態を示す展開斜視図、図６は、ケースにバンドを取り付けた状態を示す断面図である。
上記した第１の実施の形態と異なるところは、バンドの先かん部材が保持部材の機能を有するものである。図５及び図６において、保持部材である先かん部材１６には幅方向の両サイドに挟持部１６ａが形成されている。前記２つの挟持部１６ａが内胴６を構成する本体部７と裏蓋８の２つの部品の間に挟持され、内胴６と外胴５がさらに強固に取り付けられる。また、前記外胴５の側壁５ｃと先かん部材１６の側壁１６ｂと接触する接触面は、連結部材１３を軸とする先かん部材１６の回転防止手段の機能を有するものである。
【００４９】
この構成により、先かん部材１６、バンド２、および外胴５とを軸通する連結部材１３によって、先かん部材１６、バンド２、および外胴５が内胴６に取り付けられるので、ケース組み立てが容易である。その他のケース１の構成及び作用効果は上記した第１の実施の形態と同様であるで説明は省略する。
【００５０】
図７及び図８はは、本発明における第４の実施の形態に係わり、図７は、腕携帯情報機器のケースに保持部材であるバンド通し部材を取り付けた状態を示す斜視図、図８は、ケースにバンドに取り付けた状態を示す断面図である。
上記した第１の実施の形態と異なるところは、バンド通し部材が保持部材の機能を有するものである。図７及び図８において、保持部材である金属などよりなるバンド通し部材１７には、内胴６に向けて突出する挟持部１７ａと、外胴５の壁５ｃと接触する壁面１７ｂと、バンド１８を挿通するバンド通し穴１７ｃが形成されている。前記挟持部１７ａが内胴６を構成する本体部７と裏蓋８の２つの部品の間に確実に挟持される。また、前記外胴５の側壁５ｃとバンド通し部材１７の側壁１７ｂと接触する接触面は、連結部材１３を軸とするバンド通し部材１７の回転防止手段の機能を有するものである。
【００５１】
これらの構成により、腕携帯情報機器を構成するバンド部品を保持部材に利用できる。従って、保持部材によって腕携帯情報機器の高級感や美観が損なわれることはない。前記バンド通し部材１７の材質は金属に限らず合成樹脂、ゴムなどでも良い。その他のケース１の構成及び作用効果は上記した第１の実施の形態と同様であるで説明は省略する。
【００５２】
図９〜図１１は、本発明における第５の実施の形態に係わり、図９は、腕携帯情報機器のケースの展開斜視図、図１０は、ケースにバンドを取り付け前の状態を示す展開斜視図、図１１は、ケースにバンドを取り付けた状態を示す断面図である。
上記した第１の実施の形態と異なるところは、外胴の外側に配置される装飾部材が保持部材の機能を有するものである。図９及び図１１において、ケース１の外側に配置される装飾部材１９には、幅方向の両サイドに内胴６に向けて突出する２つの挟持部１９ａが形成され、装飾部材１９の表面は美観的に綺麗に加工されている。前記２つの挟持部１９ａが内胴６を構成する本体部７と裏蓋８の２つの部品の間に挟持され、内胴６と外胴５がさらに強固に取り付けられる。また、前記外胴５の側壁５ｃと装飾部材１９の側壁１９ｂとの接触する接触面は、連結部材１３を軸とする装飾部材１９の回転防止手段の機能を有するものである。
【００５３】
この構成により、装飾部材１９、バンド２の駒２０、および外胴５の連結脚５ａとを軸通する１本の連結部材１３によって、装飾部材１９、バンド２、および外胴５が内胴６に取り付けられるので、ケース組み立てが容易である。また、装飾部材１９により腕携帯情報機器の高級感や美観が改善される。その他のケース１の構成及び作用効果は上記した第１の実施の形態と同様であるで説明は省略する。
【００５４】
図１２は、本発明における第６の実施の形態に係わり、腕携帯情報機器のケースにバンドを取り付けた状態を示す断面図である。
上記した第５の実施の形態と異なるところは、保持部材を挟持する内胴の部品が、本体部が上部本体部と下部本体部とよりなり、該本体部と裏蓋で内胴が構成される。
図１２において、外胴５の外側に配置される装飾部材１９に形成された２つの挟持部１９ａが内胴６を構成する上部本体部７Ａと下部本体部７Ｂの２つの部品の間に挟持される。上部本体部７Ａに形成された凹部７ａは、下部本体部７Ｂに位置しても良く、または、上部本体部７Ａと下部本体部７Ｂの双方に形成しても良い。その他の構成及び作用効果は上記した第５の実施の形態と同様であるで説明は省略する。
【００５５】
図１３は、本発明における第７の実施の形態に係わり腕携帯情報機器のケースの保持部材に分離装飾部材を利用した状態を示す斜視図である。
上記した第５の実施の形態と異なるところは、外胴の外側に配置される装飾部材が２体に分離されていて、それぞれ保持部材の機能を有するものである。図１３において、外胴５の外側に配置される２つの装飾部材２１には、それぞれ挟持部が形成されている。前記２つの挟持部が内胴６を構成する本体部７と裏蓋８の２つの部品の間に挟持され、内胴６と外胴５がさらに強固に取り付けられる。その他の構成及び作用効果は上記した第５の実施の形態と同様であるで説明は省略する。
【００５６】
図１４は、本発明における第８の実施の形態に係わり腕携帯情報機器のケースの上面に緩衝部材を配設した状態を示す斜視図である。
上記した第５の実施の形態と異なるところは、外胴の外側に配置される装飾部材の上面にプロテクターの機能を有する緩衝部材を配設したものである。図１４において、保持部材としての機能を有する装飾部材１９の上面に、柔軟な素材、合成樹脂、ゴムなどよりなる緩衝部材２２をネジ２３にて固定保持する。この構成により、装飾部材１９によるケース１の高級感や美観が損なわれることがなく、緩衝部材２２により過大な外力の負荷から腕携帯情報機器が保護される。その他の構成及び作用効果は上記した第５の実施の形態と同様であるで説明は省略する。
【００５７】
図１５及び図１６は、本発明における第９の実施の形態に係わり、図１５は腕携帯情報機器のケースに保持部材である中留めを利用してバンドを取り付ける前の状態を示す展開斜視図、図１６は、ケースにバンドを取り付けた状態を示す断面図である。
前記した第１の実施の形態と異なるところは、別体の保持部材を使用せずに、ケースとバンドとを着脱するための中留めが、保持部材としての機能を有するものである。
図１５及び図１６において、中留め２４は保持部本体２５と蓋２６で構成される。保持部本体２５には内胴６に向かって突出する挟持部２５ａと、係止片２５ｂおよび壁面２５ｃが形成されている。蓋２６には保持部本体２５に形成されている係止片２５ｂに係止する係止片２６ａが形成されていて、保持部本体２５に開閉自在に軸着されている。中留め２４の保持部本体２５の挟持部２５ａは、内胴６を構成する本体部７と裏蓋８の２つの部品の間に挟持される。
また、前記保持部本体２５の壁面２５ｃと外胴５の壁面５ｃと接触する接触面は、連結部材１３を軸とする保持部本体２５の回転防止手段の機能を有するものである。
【００５８】
前記中留め２４とバンド２との連結は、バンド２の先端部に配設されたピン２７を抱え込むようにして、蓋２６を矢印Ａ方向に回動することにより、保持部本体２５に形成された係止片２５ｂと、蓋２６に形成された係止片２６ａとが係合して係止される。従って、ケース１とバンド２との着脱操作が容易である。その他の構成及び作用効果は上記した第１の実施の形態と同様であるで説明は省略する。
【００５９】
図１７は、本発明における第１０の実施の形態に係わり、図１７は腕携帯情報機器のケースに保持部材である折り畳み式中留めを利用してバンドを取り付けた状態を示す正面図である。
上記した第９の実施の形態と異なるところは、ケースとバンドとが成す周長を伸縮すための折り畳み式中留めを保持部材に利用するものである。
図１７において、折り畳み式中留めは、保持部本体２８と、中板２９と、外板３０で構成される。前記保持部本体２８には内胴６に向かって突出する挟持部２８ａが形成されていて、挟持部２８ａを図示しない内胴を構成する２つの部品の間、すなわち本体部と裏蓋に挟持される。従って、保持部材によって腕携帯情報機器の高級感や美観が損なわれることがない。その他の構成及び作用効果は上記した第９の実施の形態と同様であるで説明は省略する。
【００６０】
【発明の効果】
以上述べた様に、本発明によれば、保持部材により内胴の外側に外胴が確実に取り付けられる。
【００６１】
また、本発明によれば、確実に防水され、内胴に収納されたムーブメントが保護される。
【００６２】
また、本発明によれば、保持部材が連結部材により外胴に取り付けられ、ケースの組み立てが容易である。
【００６３】
また、本発明によれば、保持部材が回転防止されて内胴の外側に外胴が確実に取り付けられる。
【００６４】
また、本発明によれば、バンド部品を保持部材に利用するので、腕携帯情報機器の高級感や美観が損なわれない。
【００６５】
また、本発明によれば、保持部材を装飾部材にするので、保持部材により腕携帯情報機器が装飾され、外観品質が向上する。
【００６６】
また、本発明によれば、ケースの美観は損なわられず、過大な外力の負荷から腕携帯情報機器が保護される。
【００６７】
また、本発明によれば、アンテナの受信障害を生じさせず、外胴に金属を用いるので、金属感のある外観が付与され、高級感や美観を備えた腕携帯情報機器が提供できる。
【図面の簡単な説明】
【図１】本発明の第１の実施の形態に係わる腕携帯情報機器のケースの展開斜視図である。
【図２】図１のケースにバンドを取り付ける前の状態を示す展開斜視図である。
【図３】図１のケースにバンドを取り付けた状態を示す断面図である。
【図４】本発明の第２の実施の形態に係わる腕携帯情報機器のケースに保持部材であるバンドを取り付けた状態を示す断面図である。
【図５】本発明の第３の実施の形態に係わる腕携帯情報機器のケースに保持部材である先かん部材を利用してバンドを取り付ける前の状態を示す展開斜視図である。
【図６】図５のケースにバンドを取り付けた状態を示す断面図である。
【図７】本発明の第４の実施の形態に係わる腕携帯情報機器のケースに保持部材であるバンド通し部材を取り付けた状態を示す斜視図である。
【図８】図７のケースにバンドを取り付けた状態を示す断面図である。
【図９】本発明の第５の実施の形態に係わる腕携帯情報機器のケースの展開斜視図である。
【図１０】図９のケースに保持部材である装飾部材を利用してバンドを取り付ける前の状態を示す展開斜視図である。
【図１１】図１０のケースにバンドを取り付けた状態を示す断面図である。
【図１２】本発明の第６の実施の形態に係わる腕携帯情報機器のケースにバンドを取り付けた状態を示す断面図である。
【図１３】本発明の第７の実施の形態に係わる腕携帯情報機器のケースの保持部材に分離装飾部材を利用した状態を示す斜視図である。
【図１４】本発明の第８の実施の形態に係わる腕携帯情報機器のケースの上面に緩衝部材を配設した状態を示す斜視図である。
【図１５】本発明の第９の実施の形態に係わる腕携帯情報機器のケースに保持部材である中留めを利用してバンドを取り付ける前の状態を示す展開斜視図である。
【図１６】図１５のケースにバンドを取り付けた状態を示す断面図である。
【図１７】本発明の第１０の実施の形態に係わる腕携帯情報機器のケースに保持部材である折り畳み式中留めを利用してバンドを取り付けた状態を示す正面図である。
【符号の説明】
１  ケース
２、１５、１８  バンド
３  駒（保持部材）
３ａ、１６ａ、１７ａ、１９ａ、２５ａ、２８ａ  挟持部
３ｂ、５ｃ、７ｂ、１６ｂ、１７ｂ、１９ｂ  壁面（接触面）
５  外胴
５ａ  連結脚
５ｂ  開口部
６  内胴
７  本体部
７ａ  凹部
７Ａ  上部本体部
７Ｂ  下部本体部
８  裏蓋
１２  パッキン
１３  連結部材
１６  先かん部材（保持部材）
１７  バンド通し部材（保持部材）
１９、２１  装飾部材（保持部材）
２２  緩衝部材
２４  中留め
２５、２８  保持部本体
２６  フタ
２７  折り畳み式中留め
【図１】
0004073697.tif 000002
【図２】
0004073697.tif 000003
【図３】
0004073697.tif 000004
【図４】
0004073697.tif 000005
【図５】
0004073697.tif 000006
【図６】
0004073697.tif 000007
【図７】
0004073697.tif 000008
【図８】
0004073697.tif 000009
【図９】
0004073697.tif 000010
【図１０】
0004073697.tif 000011
【図１１】
0004073697.tif 000012
【図１２】
0004073697.tif 000013
【図１３】
0004073697.tif 000014
【図１４】
0004073697.tif 000015
【図１５】
0004073697.tif 000016
【図１６】
0004073697.tif 000017
【図１７】
0004073697.tif 000018